(57)【要約】【課題】  椀内にあるコインの取りこぼしを防止できるキャッシュトレイを提供する。【解決手段】  コインＣを載せる台３と、台３の前方に連続して設けた凹状の椀５とを備えたキャッシュトレイ１であって、椀５は台３上のコインＣを落とし込んで落とし込んだコインＣを手に取り込むものであり、台３と椀５との境界７ｅが、後方に向けて突出する平面視円弧状を成している。【選択図】図１
2014174906.tif 000002
【特許請求の範囲】
【請求項１】
コインを載せる台と、台の前方に連続して設けた凹状の椀とを備え、椀は台上のコインを落とし込んで落とし込んだコインを手に取り込むものであり、台と椀との境界が後方に向けて突出する平面視湾曲線状を成していることを特徴とするキャッシュトレイ。
【発明の詳細な説明】
【技術分野】
【０００１】
本発明は、コインを受けるキャッシュトレイに関する。
【背景技術】
【０００２】
特許文献１には、台と、台に連続する凹状の椀とを備えたキャッシュトレイが開示されている。この特許文献１のキャッシュトレイは、特許文献１の図６に示されているように、コインを載せる台と台に載せたコインを落とし込む椀との境界線が直線状を成している。
【先行技術文献】
【特許文献】
【０００３】
【特許文献１】特開平１１−３１８６５７号公報
【発明の概要】
【発明が解決しようとする課題】
【０００４】
しかし、特許文献１のキャッシュトレイは、台から椀に落とし込んだコインを手に取り込むときに、取りこぼしが生じ易いという問題があった。
【０００５】
そこで、本発明は、椀内にあるコインの取りこぼしを防止できるキャッシュトレイの提供を目的とする。
【課題を解決するための手段】
【０００６】
請求項１に記載の発明は、コインを載せる台と、台の前方に連続して設けた凹状の椀とを備え、椀は台上のコインを落とし込んで落とし込んだコインを手に取り込むものであり、台と椀との境界が後方に向けて突出する平面視湾曲線状を成していることを特徴とするキャッシュトレイである。
【発明の効果】
【０００７】
請求項１に記載の発明によれば、図４（ａ）に示すように、台と椀との境界の形状が平面視湾曲線状にしているので、平面視直線状の場合に比較して、中指の指先が邪魔にならないから、中指を曲げたりすることなく、指の自然な動きで椀内にあるコインを手に取り込むことができ、椀内にあるコインの取りこぼしを防止できる。
【図面の簡単な説明】
【０００８】
【図１】本発明の実施の形態にかかるキャッシュトレイの斜視図である。
【図２】本発明の実施の形態にかかるキャッシュトレイの図であり、（ａ）は平面図、（ｂ）は正面図、（ｃ）は左側面図、（ｄ）は右側面図、（ｅ）は（ａ）に示すＡ−Ａ断面図、（ｆ）は（ａ）に示すＢ−Ｂ断面である。
【図３】本発明の実施の形態にかかるキャッシュトレイの図であり、（ａ）は底面図、（ｂ）は（ａ）に示すＣ−Ｃ断面である。
【図４】本発明の実施の形態にかかるキャッシュトレイの図であり、（ａ）は台と椀との境界と手の指先との関係を示す平面図、（ｂ）は（ａ）に示すＥ−Ｅ断面図であり椀内の指先の動きを示す図である。
【図５】評価試験で用いた比較例のキャッシュトレイの平面図であり、（ａ）は比較例１、（ｂ）は比較例２である。
【図６】評価試験の結果を示す図であり、（ａ）はコインのつかみやすさ、（ｂ）は使い心地のよさを示すグラフである。
【発明を実施するための形態】
【０００９】
以下に、添付図面を参照して本発明の実施の形態を説明する。本実施の形態にかかるキャッシュトレイは、スーパーマーケット等の商店で支払われる金銭（コイン）を受けるものである。
図１及び図２に示すように、キャッシュトレイ１は、コインを載せる台３と、台３の前方に連続して設けた凹状の椀５とを備えている。
台３は上面がコインの受け面７であり、受け面７には、前後方向の突条９が左右方向に間隔をあけて複数形成してある。
受け面７の周囲は、後端７ａを後方に突出する円弧状に湾曲してあり、左右端７ｂ、７ｃは各々円弧状を成し、椀５に向けて左右端７ｂ、７ｃ間の幅を後述する椀５と台３との境界７ｅまで滑らかに連続して狭めている。
【００１０】
図２に示すように、本実施の形態では、キャッシュトレイ１の前後の長さＬ１は約２１６ｍｍであり、左右端７ｂ、７ｃ間の幅は最大の箇所Ｌ２が約１１５ｍｍ、椀５との境界の箇所Ｌ３が約８５ｍｍである。受け面７の後端７ａの円弧の曲率半径Ｒ１（以下「Ｒ」は曲率半径である）は約６０ｍｍの円弧であり、左右端７ｂ、７ｃのＲ２は各々約２３０ｍｍの円弧である。
受け面７の左右及び後側には上方ほど外側に広がるように傾斜した壁部１１が設けてある。壁部１１の高さＨ１（図２（ｂ）参照）は約２３ｍｍであり、傾斜角度Ｋ１（図２（ｅ）参照）は約１２５度である。
受け面７の前端、即ち台３と椀５との境界７ｅは、後方に向けて突出する平面視湾曲線状を成している。図２（ａ）に示すように、本実施の形態では、境界７ｅの湾曲線はＲ３であり、Ｒ３は約４３ｍｍである。
尚、図３に示すように、台３の裏面に設けてあるのは、レジスター等の機器にスライドにより取り付ける取付部１３と、ボルトで固定する固定部１４である。
【００１１】
図１に示すように、椀５は、台３に載せたコインを落とし込むものであり、略半球状に凹んだ落し込み部１５と、落し込み部１５の上端で前方及び左右に連続して形成したパームレスト部１７とを備えている。
図２（ｅ）に示すように、落し込み部１５は、前側壁１５ａの傾斜を後側壁１５ｂの傾斜よりも大きくしてある。前側壁１５ａと後側壁１５ｂとは縦断面が円弧としてあり、前側壁１５ａの円弧の曲率の方が後側壁１５ｂの円弧の曲率よりも大きくしてある。本実施の形態では、縦断面における前側壁１５ａのＲ４は約３５ｍｍであり、後側壁１５ｂのＲ５は約４６ｍｍである。
図２（ｆ）に示すように、落し込み部１５の左右の壁１５ｃ、１５ｃは、断面において底１５ｄに連続する一つの円弧としないで、落とし込み部の底１５ｄ側が大きく傾斜するように左右の各壁１５ｃ、１５ｃを各々大きな曲率半径の円弧にして底１５ｄで連続させている。本実施の形態では、左右の壁１５ｃ、１５ｃは、落とし込み部１５の上端から底１５ｄまでのＲ８の円弧よりも大きなＲ６の円弧としてＲ６の中心を落とし込み部１５から離れた位置にしてある。尚、本実施の形態では、Ｒ８が約２５ｍｍであり、左右の壁のＲ６は約７２ｍｍである。
【００１２】
図４（ｂ）に示すように、パームレスト部１７は、掌を載せるようにした部分である。図１及び図２に示すように、このパームレスト部１７は落とし込み部１５の上端で椀５の境界７ｅよりも前側に形成してある。図２（ｅ）に示すように、パームレスト部１７は椀５を形成する部材の肉厚よりも大きな巾を持って形成してあり且つ巾は上向きのＲ７の曲面としてある。本実施の形態では、パームレスト部のＲ７は約７．５ｍｍである。
【００１３】
次に、本実施の形態にかかるキャッシュトレイ１の作用効果について説明する。
図１及び２に示すように、台３に置かれたコインＣは、手の指で掻き集めて、台３から椀５に落とし込み、次に、椀５内に落とし込んだコインＣは、椀５内で人差し指から小指を滑らすようにしてコインＣを掴み取る。
台３と椀５との境界７ｅは、図４（ａ）（ｂ）に示すように、手の指先の輪郭に沿って後方に向けて突出する平面視湾曲線状を成しているので、直線状の場合に比較して、他の指よりも指先が長い中指が邪魔にならないから、中指を曲げたりすることなく、指の自然の動きを妨げないで椀５にあるコインＣを取り込むことができ、椀５内にあるコインＣの取りこぼしを防止できる。
【００１４】
図１及び図２に示すように、台３において受け面７の後端７ａが後方に突出する湾曲形状としてあるので、指を広げたときの指先の輪郭と同様の形状になるから、台３上に散らばっているコインＣを集め易く且つコインが台３に残るのを防止できる。
台３の受け面７の後端７ａ及び左右端７ｂ、７ｃに設けた壁部１１は外側に広がるように傾斜しているから、コインＣが受け面７の後端７ａや左右端７ｂ、７ｃ等の隅にある場合でも指先を壁部１１の傾斜面に当てて滑らすことで、隅にあるコインＣを容易に集めることができる。
受け面７の左右端７ｂ、７ｃ間の間隔Ｌ２〜Ｌ３は境界７ｅまで滑らかに連続して次第に間隔を狭めており、図５（ｂ）の比較例２で示すような肩２５がないので、台３上のコインＣを集めて椀５側へ滑らすときに肩に引っ掛かることがなく、スムーズに椀５へ落とし込みできる。
更に、受け面７は左右端７ｂ、７ｃの間隔が椀５側を次第に狭くしているので、散らばっているコインＣを纏めて椀５に案内し易い。
椀５の落とし込み部１５は、前側壁１５ａを後側壁１５ｂよりも傾斜を大きくしているので、落とし込み部１５内にあるコインＣが集まり易く、且つ図４（ｂ）に示すように、コインＣを指を丸めて手に取り込むときに、指先の自然な動きに沿わせることができ、コインＣの取りこぼしを防止できる。
椀５の落とし込み部１５の左右側壁１５ｃ、１５ｃは、断面において底１５ｄに連続する円弧としないで、底１５ｄ側が大きく傾斜するように湾曲して形成しているので、椀５の底にコインＣを集め易い。
椀５には、パームレスト部１７を設けているので、椀５内のコインＣを手で掻き集めるときにパームレスト部１７に掌を置いて手を安定にしたり、コインを受け取る作業をしていないときにもパームレスト部１７に掌をおいて休むことができるから、疲労を軽減できる。
パームレスト部１７は巾を持って形成してあるので、例えば、パームレスト部１７に掌を載せないで落とし込み部１５内のコインＣを手に取り込もうとした場合に、コインＣが前側壁１５ａを上方に滑って落とし込み部１５から外に飛び出ようとしたときに、パームレスト部１７にコインＣが部分的に載ることができ、これを掌や指で押えることができるので、コインＣがいきなり椀５から飛び出るのを防止できる。
パームレスト部１７は、上向きの曲面としてあるので、パームレスト部１７に掌を置いたときに、小口となっている場合に比較して掌を圧迫することがなく、心地良く掌を置くことができる。
【００１５】
ここで、本実施の形態にかかるキャッシュトレイと比較例のキャッシュトレイについて、コインＣのつかみやすさと、使い心地のよさの主観評価試験をおこなったので、その結果について説明する。
上述した本実施の形態にかかるキャッシュトレイ１を実施例とし、図５（ａ）に示すように比較例１は椀５が平面視四角形状を成し、図５（ｂ）に示す比較例２は椀５の前方が平面視半円を成しており、比較例１及び比較例２は共に椀５と台３との境界７ｅは直線状としたものである。
主観評価試験は、実施例と比較例１及び２の各キャッシュトレイの椀内に同数のコインを置き、椀内のコインを手に取り込む作業を行った。そのときの「コインをつかみにくい」を０とし、「コインをつかみやすい」を１００ｍｍとして、０〜１００ｍｍまでの間の長さの直線上で、つかみやすさがどの位置にあるかを作業者に示してもらい、０からその位置までの長さｍｍを点数とした（ＶＡＳ（Visual Analogue Scale）法）。例えば、０〜１００ｍｍの間でコインのつかみやすさが７２ｍｍの位置であれば、７２点である。
【００１６】
主観評価試験の平均値を図６の（ａ）（ｂ）に棒グラフで示した。また、実施例と各比較例１、２との間の確率の標準偏差をグラフ中に示した。作業者の数ｎは８人であった。図６中のｐ１、ｐ２、ｐ３は、確率の標準偏差であり、ｐ１＜０．００１、ｐ２＜０．０１、ｐ３＜０．００５であった。
図６（ａ）（ｂ）に示すグラフから明らかなように、「コインのつかみやすさ」及び「使い心地のよさ」は、いずれも比較例１及び比較例２よりも高く、実施例によれば比較例１及び２よりもコインがつかみやすいと共に使い心地が良いことが分かる。
【００１７】
本発明は、上述した実施の形態に限らず、本発明の要旨を逸脱しない範囲で種々変形可能である。
例えば、台３と椀５との境界７ｅは、手の指先の邪魔にならず、指の自然な動きを妨げない形状であれば、後方に向けて突出する円弧に限らず、円弧に近似するものや、楕円や方物線の一部やこれらに近似するものであっても良い。
【符号の説明】
【００１８】
１    キュッシュトレイ
３    台
５    椀
７ｅ  境界
【図１】
2014174906.tif 000003
【図２】
2014174906.tif 000004
【図３】
2014174906.tif 000005
【図４】
2014174906.tif 000006
【図５】
2014174906.tif 000007
【図６】
2014174906.tif 000008